(57)【要約】【課題】意匠性に優れた外観を形成することが可能な小型軽量構造の魚釣用スピニングリールを安価に提供すること【解決手段】リール本体１２の少なくとも一方の側部に取付けられた側部カバー部材４２と、リール本体１２の後部に取付けられた後部カバー部材４４とを備えた魚釣用スピニングリールにおいて、側部カバー部材４２と後部カバー部材４４とに、リール本体に取付けたときに、互いに直接接合するカバー側接合縁部６４，６６を形成し、側部カバー部材４２と後部カバー部材４４とがそれぞれリール本体１２との間に形成する本体側接合縁部６０，６２，６８，７０を、その周縁部の一部にのみ形成した魚釣用スピニングリール。【選択図】図１
2006204139.tif 000002
【特許請求の範囲】
【請求項１】
リール本体の少なくとも一方の側部に取付けられた側部カバー部材と、リール本体の後部に取付けられた後部カバー部材とを備えた魚釣用スピニングリールにおいて、
前記側部カバー部材と後部カバー部材とに、リール本体に取付けたときに、互いに直接接合するカバー側接合縁部を形成し、側部カバー部材と後部カバー部材とがそれぞれリール本体との間に形成する本体側接合縁部を、その周縁部の一部にのみ形成したことを特徴とする魚釣用スピニングリール。
【請求項２】
前記後部カバー部材は、リール本体の後端部から前端部にわたる下側領域を覆うことを特徴とする請求項1に記載の魚釣用スピニングリール。
【請求項３】
前記側部カバー部材は、リール本体の内部に収容される部品がリール本体の開口を通じて外部に露出するのを防止する保護機能を有することを特徴とする請求項１又は２に記載の魚釣用スピニングリール。
【請求項４】
前記リール本体は金属で形成され、前記カバー部材のそれぞれは樹脂で形成されることを特徴とする請求項１から３のいずれか1つに記載の魚釣用スピニングリール。
【発明の詳細な説明】
【技術分野】
【０００１】
本発明は、魚釣用リールに関し、特に、リール本体の外側にカバー部材を設けた魚釣用スピニングリールに関する。
【背景技術】
【０００２】
従来、魚釣用スピニングリールは、釣竿に固定するための竿取付部を一体的に形成したリール本体にスプールを支持し、このリール本体の一側に回転可能に支持したハンドルを通じてこのリール本体内に組込んだ巻取り駆動機構を駆動することにより、スプールに釣糸を巻回保持する構成を備えると共に、リール本体の後部の下側にカバー部材を設けて、リール本体の内部に組込んだ構成部品およびリール本体の保護を図るのが一般的である。
【０００３】
また、近年では、リール本体の側部にもカバー部材を設けて、意匠性を向上させると共に、軸受の位置決めや注油孔の閉塞を行うことで、カバー部材に機能性を与えているものがある（例えば特許文献１および特許文献２参照）。
【特許文献１】特開２００１−１９０１９４
【特許文献２】特開２００４−２６７１９９
【発明の開示】
【発明が解決しようとする課題】
【０００４】
このような従来の魚釣用スピニングリールは、意匠性の向上と共にカバー部材自体が他の部材の保持機能等の機能性を有する点で優れたものではあるが、しかし、側部カバー部材の外周縁部がリール本体との間に形成する接合部が外部に露出しており、この接合部に隙間等が形成されると、見栄えが悪くなるばかりでなく、リール本体の内部に水やゴミ等の異物の浸入を許してしまう。このような不都合な隙間を排除するために、リール本体の特に外周部を高い寸法精度で形成する必要があり、このようなリール成形時における高い寸法精度の要請により、金型製作時における製造コストが嵩む。
【０００５】
特に、後部カバー部材を側部カバー部材と共に設ける場合には、高い寸法精度を要求される接合部が側部カバー部材と後部カバー部材との双方に対して形成されることにより、このような高精度の接合部の領域が大きくなり、製造コストが更に高騰する。
【０００６】
また、リール本体の剛性の増大を目的として通常行われているように、所要部位にリブを形成する場合は、外部の美観に悪影響を与えることを避けるために、リール本体の内側にリブ形成することが一般的であるが、リール本体の内部に設けられている駆動歯車や内部構成部品による制約が多いために、十分な効果が得られるリブを形成することは困難である。また、十分な効果を得ようとして大きなリブを形成すると、リール本体が大きく、かつ重くなり、小型化および軽量化が困難である。
【０００７】
このような不具合は、リール本体が金属で形成されると更に助長され、高剛性でありながら小型かつ軽量の魚釣用スピニングリールを安価に提供することを困難なものとしている。
【０００８】
本発明は上述のような事情に基づいてなされたもので、意匠性に優れた外観を形成することが可能な小型軽量構造の魚釣用スピニングリールを安価に提供することを目的とする。
【課題を解決するための手段】
【０００９】
上記目的を達成するため、本発明によると、リール本体の少なくとも一方の側部に取付けられた側部カバー部材と、リール本体の後部に取付けられた後部カバー部材とを備えた魚釣用スピニングリールにおいて、前記側部カバー部材と後部カバー部材とに、リール本体に取付けたときに、互いに直接接合するカバー側接合縁部を形成し、側部カバー部材と後部カバー部材とがそれぞれリール本体との間に形成する本体側接合縁部を、その周縁部の一部にのみ形成した魚釣用スピニングリールが提供される。
【発明の効果】
【００１０】
本発明の魚釣用スピニングリールによると、側部カバー部材と後部カバー部材とをリール本体に取付けたときに、これらの側部カバー部材および後部カバー部材がそれぞれのカバー側接合縁部を介して直接接合するため、リール本体は、これらの側部カバー部材および後部カバー部材に対する高精度の接合部を減らすことができ、また、必要な場合には、これらの側部カバー部材および後部カバー部材で覆われる部位にリブを形成することも可能であり、意匠性に優れた外観を形成することが可能な小型軽量構造の魚釣用スピニングリールを安価に提供することができる。
【発明を実施するための最良の形態】
【００１１】
図１から図４は、本発明の好ましい実施形態による魚釣用スピニングリール１０を示す。この魚釣用スピニングリール１０は、金属で高精度かつ剛性構造に形成されたリール本体１２を有し、このリール本体１２から上方に延出する脚部１４ａの上端部に形成された竿取付部１４ｂを介して釣竿に取り付けられる。このリール本体１２の前部には、図１および図２に示すように、釣糸が巻回されるスプール１６と、ベール１８および釣糸案内部２０を腕部２２に配置したロータ２４とが設けられており、リール本体１２内には、図示しない公知のロータ２４を回転駆動する巻取駆動機構と、スプール１６を前後に往復動させるスプール往復動装置とが設けられている。これらの巻取駆動機構とスプール往復動装置とは、リール本体１２の一側に取付けられたハンドル２６を回転操作することにより、作動される。
【００１２】
このような魚釣用スピニングリール１０のハンドル２６を回転操作すると、リール本体１２内に回転自在に支えられた駆動軸が回転され、スプール往復動装置を介してスプール１６がスプール１６が前後に往復動すると共に、巻取駆動機構を介してロータ２４が回転駆動される。これにより、スプール１６の巻回胴部１６ａには、釣糸案内部２０を介して、釣糸が均等に巻回される。このハンドル２６は、図１および図２に示す右側位置から、必要に応じて反対側に付替えることができる。
【００１３】
なお、リール本体１２内には、ロータ２４の逆回転（釣糸をスプールから繰出す方向の回転）を防止する周知の一方向クラッチを備えた逆転防止機構が配置されており、この逆転防止機構を、リール本体１２の後端部に設けた切換レバー２８を通じて切換操作し、ロータ２４が正逆転可能な状態と、正転可能でかつ逆転不能の状態とに切換えることができる。ロータ２４がいずれの状態にあっても、ハンドル２６を正転方向（釣糸をスプールに巻き取る方向の回転）に回転すると、図示しない復帰機構を介して、釣糸放出位置にあるベール１８は、図１および図２に示す釣糸巻取位置に復帰することができる。
【００１４】
図4に示すように、本実施形態のリール本体１２は、脚部１４ａを上方に延出すると共に上述の巻取駆動機構やスプール往復動装置等の内部構成部材を収容する内部空間を形成したボディ部１２ａと、この内部空間の側方に開口した開口部を閉じる蓋体１２ｂと、前部に配置した円板状のつば部１２ｃとで形成してある。これらのボディ部１２ａと蓋体１２ｂとは、例えばアルミニウム合金等の同じ金属材料を用いて形成され、例えば図４にその１本を符号３０で示すような複数の止めネジ（図４に１本のみを例示する）により、一体に結合した組立て構造を備える。また、つば部１２ｃは、ボディ部１２ａおよび蓋体１２ｂの前端に形成してあり、結合したときにリール本体１２の外方に円板状に張出す。このようにボディ部１２ａと蓋体１２ｂとを結合する結合部は、後述するカバー部材で覆われる部位に設けてあり、特に、リール本体１２の後部では、ボディ部１２ａおよび蓋体１２ｂから互いに対応する突起部３２ａ，３２ｂを後方に突出させて内部空間の有効活用を図ると共に、これらの突起部３２ａ，３２ｂおよび止めネジ３０を覆うカバー部材を係止させる係止部として機能させることができる。
【００１５】
このようなリール本体１２の蓋体１２ｂの側部には、装飾を施してない平端領域３４を形成し、図示しないハンドル軸を回転自在に支える軸受を収容する軸受収容部３６をこの平坦面３４から外方に突出させてある。この軸受収容部３６には、リール本体１２の外側からこの軸受を装着し、例えばアルミニウム等の軽量金属で形成して外周部に雄ネジを設けた押え部材３８をこの軸受収容部３６に螺合することにより、所定位置に保持してある。これにより、リール本体１２の内部に各構成部材を組立てた後、ハンドル軸の軸受を位置決めすることができ、組立ておよび位置調整を簡単かつ迅速に行うことが可能となる。符号４０は、内周部に雌ネジを形成したネジ受け部を示す。このネジ受け部４０は、平坦部３４から外方に突出し、後述する側部カバー部材を装着したときに、軸受収容部３６と共にこの側部カバー部材の内面側を支持可能であるのが好ましい。
【００１６】
また、反対側の側部すなわちハンドル２６を取付けた側のボディ部１２ａの側部も、これと同様に形成することが好ましい。
【００１７】
このリール本体１２の後部には、上述の突起部３２ａ，３２ｂが突出する。更に、リール本体１２の後端部から前端部にわたる下側領域に沿って、内部の構成部材を支える種々の支持部等が配置され、例えばスプール往復動装置の図示しない歯車等のメインテナンスを要する部位の近部に、所要の開口が形成される。この後部および下側領域にも、装飾は施してない。
【００１８】
このようなリール本体１２の装飾を施してない側部である平坦領域３４には、側部カバー部材４２が着脱可能に取付けられ、リール本体１２の後端部から前端部にわたる下側領域には、後部カバー部材４４が着脱可能に取付けられる。これらの側部カバー部材４２および後部カバー部材４４は、例えばＡＢＳ，ナイロン等の樹脂で形成し、その表面には意匠性に優れた例えば金属光沢あるいは模様等の装飾機能を有する表面処理を施すのが好ましい。
【００１９】
側部カバー部材４２は、全体的に湾曲プレート状に形成され、リール本体１２の軸受収容部３６に対応した部位に截頭円錐台状の立上り部４６を有し、この頂部には開口４６ａを形成してあり、ハンドル２６で回転される通常のハンドル軸あるいはこのハンドル軸の端部に取付けられてハンドル軸を抜け止めするハンドルキャップ４８が取付けられる。この側部カバー部材４２は、全体的に後部に向けて先細となる略三角形状（図１参照）に形成されており、３つの隅部に形成したネジ孔を通してリール本体のネジ受け部４０に螺合される３本のネジ５２により、リール本体１２に着脱可能に取付けられる。
【００２０】
また、後部カバー部材４４は、リール本体１２の突起部３２ａ，３２ｂを上側から覆う傾斜面状の後面部５４と、この後面部から下方に膨出した状態に湾曲しつつ前方に向けてリール本体のつば部１２ｃまで延びる底面部５６と、後面部５４から底面部５６の側縁に沿って下方かつ側方に湾曲しつつリール本体１２のつば部１２ｃまで延びる一対の側面部５８とを有し、例えば適宜の止めネジ(図示しない）により、リール本体１２に着脱可能に取付けられる。なお、後面部５４と底面部５６と側面部５８とは、例えば稜線部等でそれぞれ厳格に区画される部位で特定されるものではなく、説明のための名称である。したがって、後部カバー部材４４は、リール本体１２の後端部から前端部にわたる下側領域を覆うことができるものであれば、例えば円弧状あるいは半円状の輪郭面が曲線状に連続した横断面形状を有してもよい。
【００２１】
このような側部カバー部材４２，４２と後部カバー部材４４とをリール本体１２に取り付けると、図１から図３に示すように、側部カバー部材４２の直線状の前端縁部６０がつば部１２ｃと接合し、湾曲した上側縁部６２が蓋体１２ｂ（ハンドル２６を取付けた側の側部カバー部材４２の場合はボディ部１２ａ）と接合し、これらの前端縁部６０と上側縁部６２とが本体側接合縁部を形成する。また、側部カバー部材４２の湾曲した下側縁部６４は後部カバー部材４４の側面部５８の上側縁部６６の前部側の大部分と接合してカバー部材側接合部を形成する。同様に、後部カバー部材４４も、前端縁部６８がつば部１２ｃと接合し、傾斜面部５４の上側縁部７０とこれに隣接する側面部５８の上側縁部６６の一部とがボディ部１２ａおよび蓋体１２ｂとに接合し、本体側接合縁部を形成する。これらの側部カバー部材４２と後部カバー部材４４とが本体１２と接合する接合部は、隙間をほとんど形成することなく互いに密に接合し、これらの接合部から水やゴミ等の異物が浸入するのを防止されている。
【００２２】
このようにこれらの側部カバー部材４２と後部カバー部材４４とリール本体１２との接合部を高精度に形成した場合であっても、側部カバー部材と後部カバー部材とがそれぞれリール本体との間に形成する本体側接合縁部は、側部カバー部材４２については前端縁部６０と上側縁部６２とに限られ、後部カバー部材４４については前端縁部６８と上側縁部６６の一部と上側縁部７０とに限られ、したがって、側部カバー部材４２と後部カバー部材４４とがそれぞれリール本体１２との間に形成する本体側接合縁部は、その周縁部の一部にのみ形成されているだけである。このため、リール本体１２が、特に見栄えよく、高精度で形成する必要のある、側部カバー部材４２および後部カバー部材４４に対する高精度の接合部の領域が少なくなり、最も高価なリール本体の金型を製作する際のコストを低減し、魚釣用スピニングリール１０の全体を安価に製造することができる。
【００２３】
また、側部カバー部材４２と後部カバー部材４４とがそれぞれ下側縁部６４と上側縁部６６とで接合することで、これらの側部カバー部材４２と後部カバー部材４４とがリール本体１２の外面を覆う、例えば平坦領域３４等の領域が大きくなり、この結果、例えば脚部１４ａが延出する上方部位等の外側に露出するリール本体１２の外観仕上げが必要な範囲あるいは領域を大幅に減らすことが可能となるので、外観仕上げが容易かつ不良率が減少するので更なるコストダウンが可能となる。更に、後部カバー部材４４でリール本体１２の後端部から前端部にわたる下側領域を覆うことにより、外観仕上げの必要な領域を更に減少させることができ、大幅なコストダウンが可能となる。
【００２４】
更に、上述のように側部カバー部材４２あるいは後部カバー部材４４により、リール本体１２の外側を広範囲にわたって覆うことが可能となるため、側部カバー部材４２あるいは後部カバー部材４４で覆われるリール本体１２の部位に、軽量化やメンテナンス性の向上を目的とした肉抜き孔を形成し、あるいは補強用リブを形成する等の用途に合わせた様々な加工を、魚釣用スピニングリール１０の外観に影響を与えることなく形成することができる。また、装飾用としての用途に限らず、魚釣用スピニングリール１０の作動機能の一部を担う機能部材として用いることができる。
【００２５】
図５から図７は、このような種々の作動機能を担う変形例による魚釣用スピニングリールを示す。なお、以下に説明する変形例は、基本的には上述の実施形態と同様であるため、同様な部位には同様な符号を付し、その詳細な説明を省略する。
【００２６】
図５は、リール本体１２の軸受収容部３６内に収容した軸受３５を保持する押え用フランジ部７２を円錐台状の立上り部４６の先端に形成し、このフランジ部７２の内周部に開口４６ａを形成したものである。この場合には、図４に示すような押え部材３８が不要となる。押え部材３８よりも軽量のフランジ部７２で軸受３５を保持することができるため、更に軽量化が可能となる。
【００２７】
図６は、リール本体１２の平坦領域３４に肉抜き孔７４を形成したものである。この肉抜き孔７４を、リール本体１２内に配置された巻取駆動機構等の内部部材の注油等のメインテナンス用として用いることも可能である。このような肉抜き孔７４は、側部カバー部材４２で覆われる部位に限らず、後部カバー部材４４で覆われる部位にも形成することが可能である。その数および形状は、形成する部位に応じて適宜に設定することができる。
【００２８】
図７は、軸受収容部３６の外周部に補強用のリブ７４を形成したものである。これらの補強用リブ７４は、側部カバー部材４２の立上り部４６で覆われ、外部に露出することがない。これにより、軸受収容部３６の強度を維持しつつ薄肉化し、軽量化することも可能である。
【００２９】
なお、これらの変形例は、必要に応じて適宜に組合わせることが可能である。
【図面の簡単な説明】
【００３０】
【図１】本発明の好ましい実施形態による魚釣用スピニングリールの側面図。
【図２】図１に示す魚釣用スピニングリールを後部から見た背面図。
【図３】図１に示す魚釣用スピニングリールの一部を後方から見た状態の斜視図。
【図４】図１に示す魚釣用スピニングリールの一部を後方から見た状態の分解斜視図。
【図５】変形例による魚釣用スピニングリールの図４と同様な分解斜視図。
【図６】他の変形例による魚釣用スピニングリールの図４と同様な分解斜視図。
【図７】更に他の変形例による魚釣用スピニングリールの図４と同様な分解斜視図。
【符号の説明】
【００３１】
１０…魚釣用リール、１２…リール本体、１２ａ…ボディ部、１２ｂ…蓋部、４２…側部カバー部材、４４…後部カバー部材、６０，６２，６４，６６，７０…接合縁部。
【図１】
2006204139.tif 000003
【図２】
2006204139.tif 000004
【図３】
2006204139.tif 000005
【図４】
2006204139.tif 000006
【図５】
2006204139.tif 000007
【図６】
2006204139.tif 000008
【図７】
2006204139.tif 000009